(57)【要約】【課題】  螺進するときに安定に回すことができると共に部品点数が少なくて安価なナットを提供する。【解決手段】本発明に係るナット１において、螺進方向に沿う面で２分割した一対の分割ナット部３ａ、３ｂと、一対の分割ナット部３ａ、３ｂを周方向の一端部で互いに連結する連結部５とを備え、各分割ナット部３ａ、３ｂは、雌螺子が形成された螺子部７を有し、一方の分割ナット部３ａは螺子部７の外周側で且つ周方向他端部に設けた被挟持部９を有し、他方の分割ナット部３ｂは螺子部７の外周側で且つ周方向他端部に設けて一方の分割ナット部３ａの被挟持部９を螺進方向で挟む挟持部１３ａ、１３ｂを有し、被挟持部１３ａ、１３ｂと挟持部９が対向する少なくとも一方の対向面には突部１１が形成してあり、他方の対向面には突部１１が嵌合する凹部１６が形成してある。【選択図】図１
2014020504.tif 000002
【特許請求の範囲】
【請求項１】
螺進方向に沿う面で２分割した一対の分割ナット部と、一対の分割ナット部を周方向の一端部で互いに連結する連結部とを備え、各分割ナット部は、雌螺子が形成された螺子部を有し、一方の分割ナット部は螺子部の外周側で且つ周方向他端部に設けた被挟持部を有し、他方の分割ナット部は螺子部の外周側で且つ周方向他端部に設けて一方の分割ナット部の被挟持部を螺進方向で挟む挟持部を有し、
被挟持部と挟持部が対向する少なくとも一方の対向面には突部が形成してあり、他方の対向面には突部が嵌合する凹部が形成してあることを特徴とするナット。
【請求項２】
連結部は、他方の分割ナット部に設けた被挟持部と、一方の分割ナット部に設けて被挟持部を螺進方向で挟む挟持部とを備え、連結部の被挟持部と挟持部が対向する少なくとも一方の対向面には突部が形成してあり、他方の対向面には突部が嵌合する凹部が形成してあり且つ一方の分割ナット部と他方の分割ナット部とは同一形状を成していることを特徴とする請求項１に記載のナット。
【請求項３】
各被挟持部の突部は湾曲面形状を成し、各凹部は突部が対向する挟持部を貫通する孔であることを特徴とする請求項２に記載のナット。
【請求項４】
各被挟持部の突部は螺進方向又はその反対方向を向いた傾斜面を有する突条であり、各凹部は突条の傾斜面に当接する傾斜面を有し、突条はナットの回し方向に交差する方向に長く形成してあり、突部の傾斜面と凹部の傾斜面とが面接触することを特徴とする請求項２に記載のナット。
【請求項５】
一対の分割ナット部は樹脂材製で一体成形してあり、連結部は一方の分割ナット部と他方の分割ナット部とを折り曲げ自在としてあることを特徴とする請求項１に記載のナット。
【発明の詳細な説明】
【技術分野】
【０００１】
本発明は、長尺ボルトの側面に脱着自在なナットに関する。
【背景技術】
【０００２】
従来、長尺ボルト、例えば吊りボルト等にナットを螺合して締結する場合、ボルト軸部の端からナットを螺合して締結したのでは手間がかかる為、ボルト軸部の途中からナットを脱着して締結することが公知である。
例えば、特許文献１には螺進方向に沿う面で２分割した一対の分割ナット部をボルト軸部の側面から装着するナットが開示されている。
【０００３】
この特許文献１のナットでは、一方の分割ナット部と他方の分割ナット部とは周方向の一端部をヒンジで連結し、互いに対向する他端部では一方の分割ナットに付勢部材で付勢されたピンを設けて、ナットを締め付けて螺進したときに、固定物にピンが当接して他方の分割ナット部の他端部にピンが押し込まれることで、一方の分割ナット部と他方の分割ナット部とを固定することが開示されている。
【先行技術文献】
【特許文献】
【０００４】
【特許文献１】特開２００９−６３０７０号公報
【発明の概要】
【発明が解決しようとする課題】
【０００５】
しかし、特許文献１の技術では、一方の分割ナット部と他方の分割ナット部をボルト軸部の側面に装着したときには、２つの分割ナット部は互いに固定していないから、ナットを回すときに不安定になるという問題がある。
また、ヒンジやピン及びスプリング等の部品が必要になるので、部品点数が多くなり、製造コストが高くなるという問題がある。
【０００６】
そこで、本発明は、螺進するときに安定に回すことができると共に部品点数が少なくて安価なナットの提供を目的とする。
【課題を解決するための手段】
【０００７】
前記課題を解決するために、請求項１に記載された発明は、螺進方向に沿う面で２分割した一対の分割ナット部と、一対の分割ナット部を周方向の一端部で互いに連結する連結部とを備え、各分割ナット部は、雌螺子が形成された螺子部を有し、一方の分割ナット部は螺子部の外周側で且つ周方向他端部に設けた被挟持部を有し、他方の分割ナット部は螺子部の外周側で且つ周方向他端部に設けて一方の分割ナット部の被挟持部を螺進方向で挟む挟持部を有し、被挟持部と挟持部が対向する少なくとも一方の対向面には突部が形成してあり、他方の対向面には突部が嵌合する凹部が形成してあることを特徴とするナットである。
【０００８】
請求項２に記載された発明は、請求項１に記載の発明において、連結部は、他方の分割ナット部に設けた被挟持部と、一方の分割ナット部に設けて被挟持部を螺進方向で挟む挟持部とを備え、連結部の被挟持部と挟持部が対向する少なくとも一方の対向面には突部が形成してあり、他方の対向面には突部が嵌合する凹部が形成してあり且つ一方の分割ナット部と他方の分割ナット部とは同一形状を成していることを特徴とする。
【０００９】
請求項３に記載された発明は、請求項２に記載の発明において、各被挟持部の突部は湾曲面形状を成し、各凹部は突部が対向する挟持部を貫通する孔であることを特徴とする。
【００１０】
請求項４に記載された発明は、請求項２に記載の発明において、各被挟持部の突部は螺進方向又はその反対方向を向いた傾斜面を有する突条であり、各凹部は突条の傾斜面に当接する傾斜面を有し、突条はナットの回し方向に交差する方向に長く形成してあり、突部の傾斜面と凹部の傾斜面とが面接触することを特徴とする。
【００１１】
請求項５に記載された発明は、請求項１に記載の発明において、一対の分割ナット部は樹脂材製で一体成形してあり、連結部は一方の分割ナット部と他方の分割ナット部とを折り曲げ自在としてあることを特徴とする。
【発明の効果】
【００１２】
請求項１に記載の発明によれば、一方の分割ナット部と他方の分割ナット部とは、互いに一端部を連結部で連結し、対向する他端部では一方の分割ナットの被挟持部と他方の分割ナットの挟持部とでは、突部と凹部とが嵌合して挟持しているので、ナットをボルト軸部に装着した後、一方の分割ナット部と他方の分割ナット部を組み付けた状態で安定に回して螺進することができる。
挟持部と被挟持部とは突部と凹部とを嵌合しており、従来技術のようにピンやスプリング等の部品を必要としないから、部品点数を少なくでき安価である。
尚、ナットを回し終えてナットをボルト軸に締め付けた状態では、一方の分割ナット部と他方の分割ナット部は、ボルト軸部の螺子条に螺子部の螺子条とが螺進方向と反対方向に向けて強く圧接された状態になるので、ボルト軸部に保持される。
【００１３】
請求項２に記載の発明によれば、請求項１に記載の発明と同様な効果を奏すると共に、連結部も他端側の被挟持部と挟持部と同様の構成にすることにより、一方の分割ナット部と他方の分割ナット部とを同一形状にしているので、同種のものを一方の分割ナット部と他方の分割ナット部に用いることができる。
【００１４】
請求項３に記載の発明によれば、請求項２に記載の発明と同様な効果を奏すると共に、挟持部において、被挟着部との対向面であても凹部を容易に形成でき、製造し易い。
【００１５】
請求項４に記載の発明によれば、請求項２に記載の発明と同様な効果を奏すると共に、ナットの回し方向の力は、２つの突条の傾斜面で受けることができるので、ナットを回すとき及びナットを回し終えた後に、一方の分割ナット部と他方の分割ナット部との連結を強固にできる。
【００１６】
請求項５に記載の発明によれば、請求項１に記載の発明と同様な効果を奏すると共に、一方の分割ナット部と他方の分割ナット部とを一体に成形して連結してあるので、一部品として扱うことができ、取り扱い易い。
ナットを樹脂材で形成しているので、製造が容易にできる。
【図面の簡単な説明】
【００１７】
【図１】本発明の第１実施の形態に係るナットの斜視図であり、（ａ）〜（ｃ）はボルト軸部にナットを装着する工程を順次示す図である。
【図２】図１に示すナットの図であり、（ａ）は正面図、（ｂ）は側面図、（ｃ）は平面図である。
【図３】図１に示すナットの作用を示す図であり、（ａ）はナットを回して螺進している状態の側面図であり、（ｂ）はナットを固定物に締め付けた状態を示す側面図である。
【図４】本発明の第２実施の形態に係るナットの斜視図であり、（ａ）は一対の分割ナット部を組み付け前の状態、（ｂ）は組み付け後の状態、（ｃ）はナットを回すときの状態である。
【図５】図４に示す一方の分割ナット部の図であり、（ａ）は正面図、（ｂ）は平面図、（ｃ）は側面図である。
【図６】本発明の第３実施の形態に係るナットの斜視図であり、（ａ）は一対の分割ナット部を組み付けた状態、（ｂ）は一対の分割ナットを開いた状態を示す図である。
【図７】図６に示す一方及び他方の分割ナット部の図であり、（ａ）は斜視図、（ｂ）は平面図、（ｃ）は正面図である。
【図８】本発明の第４実施の形態に係る一方及び他方の分割ナット部の図であり、（ａ）は斜視図、（ｂ）は正面図、（ｃ）は平面図、（ｄ）は側面図である。
【図９】本発明の第４実施の形態に係るナットの図であり、（ａ）は一対の分割ナット部を組み付けた状態を示す斜視図、（ｂ）は正面図である。
【図１０】本発明の第５実施の形態に係る一方及び他方の分割ナット部の図であり、（ａ）は斜視図、（ｂ）は平面図、（ｃ）は正面図、（ｄ）は側面図である。
【図１１】本発明の第５実施の形態に係るナットの図であり、（ａ）は一対の分割ナット部を組み付けた状態を示す斜視図、（ｂ）は正面図である。
【図１２】第３実施の形態の変形例に係るナットの斜視図であり、（ａ）は一対の分割ナットを開いた状態を示し、（ｂ）は一対の分割ナット部を組み付けた状態を示す図である。
【発明を実施するための形態】
【００１８】
以下に、添付図面を参照して、本発明の実施の形態を詳細に説明するが、まず図１〜図３を参照して本発明の第１実施の形態を説明する。
第１実施の形態にかかるナット１は、長尺のボルト軸部２０の途中に側面から装着するものであり、螺進方向Ａ１に沿う面で２分割した一対の分割ナット部３ａ、３ｂと、一対の分割ナット部３ａ、３ｂを隣合う周方向の一端部で互いに連結する連結部５とを備えている。一対の分割ナット部３ａ、３ｂと連結部５とは樹脂材製で一体成形されている。
【００１９】
一方の分割ナット部３ａは、雌螺子が形成された螺子部７と、螺子部７の外周側で且つ連結部５と反対側の他端部に設けた被挟持部９とを備えている。被挟着部９には螺進方向Ａ１の面に半球状の突部１１が形成されている。
【００２０】
他方の分割ナット部３ｂは、雌螺子が形成された螺子部７と、螺子部７の外周側で且つ連結部５と反対側の他端部に設けた一対の挟持部１３ａ、１３ｂとを備えている。一対の挟着部１３ａ、１３ｂは螺進方向Ａ１に間隔Ｓを空けて互い平行に螺子部７から突設している。
一対の挟着部１３ａ、１３ｂの対向面間の間隔Ｓは、一方の分割ナット部３ａの突部１１と被挟着部９の厚みＨよりも狭くしてある。
【００２１】
螺進方向Ａ１の挟着部１３ａには、他方の挟着部１３ｂとの対向面に円形の凹部１６が形成されている。凹部１６は、螺進方向に貫通する貫通孔１５の端部である。
【００２２】
図１（ｃ）に示すように、一方の分割ナット部３ａと他方の分割ナット部３ｂは、互いに組み付けて固定したときに平面視四角形状を成している。また、各分割ナット部３ａ、３ｂは外周側面に滑り止め溝１７が形成されている。
連結部５は薄肉としてあり、折り曲げ自在である。
【００２３】
次に、第１実施の形態に係るナット１の取り扱い、作用及び効果について説明する。
図１（ａ）に示すように、ボルト軸２０に装着するときには、他方の分割ナット部３ｂの螺子部７をボルト軸部２０の側面に当てて、図１（ｂ）に示すように一方の分割ナット部３ａを、連結部５を回動軸にして一方の分割ナット部３ａの螺子部７をボルト軸部２０に当てるように回動して、図１（ｃ）に示すように、他方の分割ナット部３ｂの挟着部１３ａ、１３ｂ間に一方の分割ナット部３ａの被挟着部９を嵌合し、ナット１をボルト軸２０に装着する。
【００２４】
図１（ｃ）において、他方の分割ナット部３ｂの挟着部１３ａ、１３ｂ間に一方の分割ナット部３ａの被挟着部９を嵌合すると、被挟着部９の突部１１に挟着部１３ａが押されて、弾性により挟着部１３ａ、１３ｂ間の間隔Ｓが僅かに広がり、凹部１６に突部１１が入り込み、挟着部１３ａ、１３ｂが弾性復帰することで挟着部１３ａ、１３ｂ間に被挟着部９が係止される。
【００２５】
次に、図３（ａ）に示すように、ナット１を回して螺進し、図３（ｂ）に示すように固定部２２にナット１を当接させて、更に締め付ける。このとき、固定部２２には一方の分割ナット部３ａの固定部側にある挟着部１３ａが強く押し付けられて、固定部側の挟着部１３ａと被挟着部９とが強く圧接せられて、突部１１が凹部１６に更に食い込み、一方の分割ナット部３ａと他方の分割ナット部３ｂとの固定が強化される。
【００２６】
この第１実施の形態によれば、一方の分割ナット部３ａと他方の分割ナット部３ｂとは、互いに一端部を連結部５で連結して一体にしているので、一部品として扱うことができ、取り扱いがし易い。
一方の分割ナット部３ａの被挟持部９と他方の分割ナット部３ｂの挟持部１３ａとでは、突部１１と凹部１６とが嵌合して挟持しているので、一方の分割ナット部３ａと他方の分割ナット部３ｂをボルト軸部２０に装着した後、これらを一体にした状態で安定に回して螺進することができる。
尚、図３（ｂ）に示すように、ナット１を回し終えてナット１が固定部２２に圧接した状態では、一方の分割ナット部３ａと他方の分割ナット部３ｂは、ボルト軸部２０の螺子条に螺子部７の螺子条とが螺進方向と反対方向Ａ２に向けて強く圧接された状態になるので、この圧接力によってもボルト軸部２０に保持される。
【００２７】
凹部１６は貫通孔１５により形成しているので、挟持部１３ａの被挟着部９との対向面に凹部１６の形成が容易にでき、製造し易い。
挟持部１３ａと被挟持部９とは突部１１と凹部１６とを嵌合しており、従来技術のようにピンやスプリング等の部品を必要としないから、部品点数を少なくでき安価である。また、ナット１を回して螺進するときに安定して回すことができる。
【００２８】
ナット１全体を樹脂材で形成しているので、金型成形により製造が容易にできる。
固定部２２にナット１を当接させて締め付けることにより、一方の挟持部１３ａの凹部１６と被挟持部９の突部１１とが強く当接するので、挟持部１３ａ、１３ｂと被挟持部９との固定を強固にできる。
【００２９】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図４及び図５を参照して本発明の第２実施の形態にかかるナット１を説明する。この第２実施の形態にかかるナット１は、一方の分割ナット部３ａと他方の分割ナット部３ｂとを同一形状としてあり且つ分離してあり、同種のものを一方の分割ナット部３ａと他方の分割ナット部３ｂとして使用している。
即ち、一方の分割ナット部３ａの螺子部７の外周側には、周方向の一端側に、一対の挟持部１３ａ、１３ｂが形成してあり、螺進方向Ａ１側にある一方の挟持部１３ａには、他方の挟持部１３ｂとの対向面に凹部１６が形成してあり、凹部１６は一方の挟持部１３ａを貫通する貫通孔１５の一端としてある。
【００３０】
他方の分割ナット部３ｂの螺子部７の外周側には周囲方向の一端側に被係止部９が形成してあり、被係止部９の螺進方向Ａ１側の面には半球面状の突部１１が形成してある。
即ち、一方の分割ナット部３ａ及び他方の分割ナット部３ｂは、各々、螺子部７の外周側で周囲方向の一端部には被挟持部９が形成してあり、周方向の他端部には挟持部１３ａ、１３ｂが形成されている。
また、この第２実施の形態では、連結部５は、一方の分割ナット部３ａの被挟持部９と、他方の分割ナット部３ｂの挟持部１３ａ、１３ｂで構成しており、他方の分割ナット部３ｂの挟持部１３ａに設けた凹部１６と一方の分割ナット部３ａの被挟着部９に設けた突部１１とが嵌合している。
【００３１】
この第２実施の形態にかかるナット１によれば、連結部５により一方の分割ナット部３ａ及び他方の分割ナット部３ｂを一体に連結している点を除いて、上述した第１実施の形態と同様の作用効果を奏することができる。
更に、一方の分割ナット部３ａと他方の分割ナット部３ｂとを同一形状にしているので、同種のものを一方の分割ナット部３ａと他方の分割ナット部３ｂに用いることができる。
【００３２】
図６及び図７を参照して、本発明の第３実施の形態にかかるナット１について説明する。この第３実施の形態では、図７（ｃ）に示すように、被挟着部９には螺進方向Ａ１及びその反対側の両面に突部１１を形成していること及び一対の挟着部１３ａ、１３ｂに各々貫通孔１５を形成して各対向面に凹部１６を形成していることが第２実施の形態と異なっている。更に、図６（ａ）に示すように、ナット１の外周形状が６角を成していることも第２実施の形態と異なっている。
【００３３】
この第３実施の形態よれば、上述した第２実施の形態と同様の作用効果を奏すると共に、被挟着部９には、挟着部１３ａ、１３ｂとの各対向面に突部１１を形成して、挟着部１３ａ、１３ｂには各々、突部１１が嵌合する凹部１６を形成しているから、挟着部１３ａ、１３ｂのいずれの側を螺進方向Ａ１にしても、ナット１を締め付けたときに一方の分割ナット部３ａと他方の分割ナット部３ｂを固定部２２に圧接できる。即ち、上下の向きがないので取り扱い易い。
また、被挟着部９は両面に突部１１を設けて２つの挟着部１３ａ、１３ｂに嵌合できるから、第２実施の形態よりも、一方の分割ナット部３ａと他方の分割ナット部３ｂとを強固に組み付けできる。
【００３４】
図８及び図９を参照して、本発明の第４実施の形態にかかるナット１について説明する。この第４実施の形態では、一方の分割ナット部３ａと他方の分割ナット部３ｂとは同一形状であり、螺子部７の外周側で左右両側に各々一対の挟着部１３ａ、１３ｂを形成してあり、螺子部７の開口７ａ側には左右両側に被挟着部９、９を突出して形成している。図９に示すように、被挟着部９、９の先端は、一方の分割ナット部３ａと他方の分割ナット部３ｂを組み付けたときに、挟着部１３ａ、１３ｂ間に位置する寸法としてある。
各被挟着部９、９には、突部１１が形成されているが、この突部１１は断面が略三角形状の突条としてあり、突条の一面は螺進方向Ａ１を向いた傾斜面１１ａになっている。
左右一対の各挟着部１３ａ、１３ｂにおいて、凹部１６は段状の凹みになっており、段部は傾斜面１６ａとしてある。段部の傾斜面１６ａは突部１１の傾斜面１１ａと略平行な傾斜としてある。
【００３５】
図９に示すように、一方の分割ナット部３ａと他方の分割ナット部３ｂをボルト軸部２０に装着するときには、螺進方向Ａ１に対して一方の分割ナット部３ａの挟着部１３ａ、１３ａと他方の分割ナット部３ｂの挟着部１３ａ、１３ａを逆にしてボルト軸部２０に螺子部７を当て、各挟着部１３ａ、１３ｂ間に被挟着部９を嵌め入れることにより、一方の分割ナット部３ａと他方の分割ナット部３ｂを互いに組み付ける。図８（ｄ）に示すように、各挟着部１３ａ、１３ｂ間の寸法Ｓは被挟着部９と突部１１の合計の厚みＨよりも狭くしており、突部１１の先端は楔状にしているので、一方の分割ナット部３ａと他方の分割ナット部３ｂを組み付けたときに、突部１１の先端は凹部１１の底面に係止される。同時に、各突部１１の傾斜面１１ａと凹部１６の傾斜面１６ａとが互いに面で接触する。
【００３６】
ナット１を回すときには、各突部１１の傾斜面１１ａと凹部１６の傾斜面１６ａとが面で接触させた状態で、図９（ａ）に示すように、ナット１を回す。ナット１を回しているときには、回す方向の力を各突部１１の傾斜面１１ａと凹部１６の傾斜面１６ａとが受けて、一方の分割ナット部３ａと他方の分割ナット部３ｂが共に回って螺進する。
そして、固定部２２に圧接し、更に固定部２２から離れた位置にある他方の分割ナット部３ｂを締め付けるように回すと、図９（ｂ）に示すように突部１１の先端が凹部の底面に更に食い込む。
【００３７】
この第４実施の形態によれば、上述した第３実施の形態と同様の作用効果を奏すると共に、ナット１の回し方向の力は、２つの突条１１の面で受けることができるので、ナット１を回すとき及びナット１を回し終えた後に、一方の分割ナット部３ａと他方の分割ナット部３ｂとの連結を強固にできる。
固定部２２に圧接したときに、更に固定部２２から離れた位置にある他方の分割ナット部３ｂを締め付けると突部１１の先端が凹部１１に食い込むので強固に固定できると共に一方の分割ナット部３ａと他方の分割ナット部３ｂとの脱落を防止できる。
【００３８】
図１０及び図１１を参照して、本発明の第５実施の形態について説明する。この第５実施の形態では、一方の分割ナット部３ａと他方の分割ナット部３ｂとは同一形状である。
図１０に示すように、一方の分割ナット部３ａは螺子部７と、螺子部７の左右両側には各々、腕部２４が設けてあり、腕部２４は螺子部７の外周側部から螺子部７の開口７ａを超えて先端２４ａを突出している。
【００３９】
図１０（ｃ）に示すように、腕部２４は、螺子部７の螺進方向Ａ１の高さＴ１に対して略半分の高さＴ２の厚みで形成されている。また、図１０（ｂ）に示すように、腕部２４は螺子部７の開口７ａから先端部２４ａまでの寸法Ｖ１が螺子部７の後端７ｂから開口７ａまでの寸法Ｖ２と略同じ寸法としてある。
【００４０】
腕部２４において、螺子部７の後端７ｂ側に位置する基端部２４ｂには凹部１６が形成してあり、凹部１６は段状になっており、段状部分には傾斜面１６ａが形成されている。腕部２４の先端部２４ａには螺子部の高さ方向に突出する突部１１が形成されている。突部１１は断面略三角形状の突条であり、三角形の傾斜面１１ａは面を螺子部７の高さ方向に向けて傾斜している。
凹部１６の傾斜面１６ａと突部１１の傾斜面１１ａとは平行な傾斜面になっている。
【００４１】
一方の分割ナット部３ａと他方の分割ナット部３ｂをボルト軸部２０に装着するときには、一方の分割ナット部３ａの突部１１を螺進方向Ａ１に向けて他方の分割ナット部３ｂの突部１１を螺進方向と反対方向Ａ２に向けて、一方の分割ナット部３ａと他方の分割ナット部３ｂとで各々突部１１を凹部１６に係合するようにして、一方の分割ナット部３ａと他方の分割ナット部３ｂの各螺子部７をボルト軸部２０に当てる。
【００４２】
これにより、図１１（ｂ）に示すように、各突部１１の傾斜面１１ａと凹部１６の傾斜面１６ａとが面で接触させた状態で、一方の分割ナット部３ａと他方の分割ナット部３ｂを一体に組み付けて回す。
【００４３】
ナット１を回しているときには、回す方向の力を各突部１１の傾斜面１１ａと凹部１６の傾斜面１６ａとが受けて、一方の分割ナット部３ａと他方の分割ナット部３ｂが共に回って螺進する。
そして、図１１（ｂ）に示すように、ナット１が固定部２２に圧接し、更に固定部２２から離れた位置にある他方の分割ナット部３ｂを締め付けるように回すと、突部１１の先端が凹部１６の底面に強く圧接して、突部１１の先端が凹部１６の底面に圧接し又は食い込む。
【００４４】
この第５実施の形態によれば、一方の分割ナット部３ａと、他方の分割ナット部３ｂとは、ボルト軸部２０に装着して回すときに突部１１の傾斜面１１ａと凹部１６の傾斜面１６ａとが互いに面接触により当接して一体に回るので、安定に回して螺進することができる。
従来技術のようにピンやスプリング等の部品を必要としないから、部品点数を少なくでき安価である。
一方の分割ナット部３ａと他方の分割ナット部３ｂとを同一形状にしているので、同種のものを一方の分割ナット部３ａと他方の分割ナット部３ｂに用いることができる。
【００４５】
図１１（ｂ）に示すように、ナット１を回し終えてナット１が固定部２２に圧接した状態では、一方の分割ナット部３ａと他方の分割ナット部３ｂとは、ボルト軸部２０の螺子条に螺子部７の螺子条とが螺進方向と反対方向Ａ２に向けて強く圧接された状態になるので、ボルト軸部２０に保持される。
【００４６】
本発明は、前述した実施形態に限定されることなく、その要旨を逸脱しない範囲で種々変形可能である。
例えば、ナット１は樹脂材製に限らず、金属製としても良い。
ナット１の外周形状は、四角や六角に限らず、円形であっても良い。
図６及び図７に示す第３実施の形態において、図１２（ａ）に示すように、挟着部１３ａ、１３ｂ及び被挟着部９を各々長く形成して、一方の分割ナット部３ａと他方の分割ナット部３ｂとを組み付けたときに、図１２（ｂ）に示すように、互いに交差して突出する突出部２５ａ、２５ｂを形成しても良い。この交差した突出部２５ａ、２５ｂを摘んで交差を戻すように、一方の分割ナット部３ａと他方の分割ナット部３ｂを開くことにより、図１２（ａ）に示す組み付け前の状態に戻すことができる。即ち、一方の分割ナット部３ａと他方の分割ナット部３ｂとの組み付け及び分離がワンタッチで容易にできる。
ナット１を装着するボルト軸部２０は長尺に限らず、短尺であっても良い。例えば、短尺のボルト軸部２０にナット１を装着して１〜２回転することで、締め付けても良い。これにより、ナット１の締め付けや取り外しが容易にできる。
請求項１及び２において凹部１６は、貫通孔１５でなく凹状に形成するものであっても良い。
【符号の説明】
【００４７】
１    ナット
３ａ  一方の分割ナット部
３ｂ  他方の分割ナット部
５    連結部
７    螺子部
９    被挟着部
１１  突部
１３ａ  挟着部
１３ｂ  挟着部
１６  凹部
【図１】
2014020504.tif 000003
【図２】
2014020504.tif 000004
【図３】
2014020504.tif 000005
【図４】
2014020504.tif 000006
【図５】
2014020504.tif 000007
【図６】
2014020504.tif 000008
【図７】
2014020504.tif 000009
【図８】
2014020504.tif 000010
【図９】
2014020504.tif 000011
【図１０】
2014020504.tif 000012
【図１１】
2014020504.tif 000013
【図１２】
2014020504.tif 000014